(57)【特許請求の範囲】
【請求項１】
電子機器本体とリストバンドとの間に振動発生器の筐体を設け、前記電子機器本体の両側に、前記振動発生器の筐体が配置された構造であることを特徴とする腕時計式アラーム電子機器。
【請求項２】
前記振動発生器の筐体と前記電子機器本体との間につなぎを設けている事を特徴とする請求項１に記載の腕時計式アラーム電子機器。
【請求項３】
前記振動発生器の筐体と前記リストバンドとの間につなぎを設けている事を特徴とする請求項１又は２に記載の腕時計式アラーム電子機器。
【請求項４】
前記電子機器本体の底部に充電式バッテリーを着脱可能に取付ける事を特徴とする請求項１〜３のいずれか一項に記載の腕時計式アラーム電子機器。
【請求項５】
前記電子機器本体に充電用ジャックを取付けた事を特徴とする請求項１〜４のいずれか一項に記載の腕時計式アラーム電子機器。
【請求項６】
前記振動発生器の駆動は、１個単独又は２個同時運転の切り替えの選択ができることを特徴とする請求項１〜５のいずれか一項に記載の腕時計式アラーム電子機器。
【発明の詳細な説明】
【技術分野】
【０００１】
本発明は、腕時計式アラーム電子機器の構造に関する。
【背景技術】
【０００２】
従来の腕時計式アラーム電子機器の振動モーターは、電子機器本体内部に収納する構造の物が一般的であり、その結果、振動モーターの容積分、電子機器本体が大きなものとなり、腕時計式アラーム電子機器全体としてバランスを欠いたものになる。
【０００３】
従って、上記のような電子機器用である振動モーターの収納配置はあまり現実的ではない。
【０００４】
又、バッテリーに関しては、非充電式バッテリーで、且つ、該電子機器本体内に収納することを前提としているため、容量の大きいものは使用しないので、上記の電子機器でアラームが作動すると、バッテリーの電圧低下のため、時計に誤作動が生じる場合もある。
【０００５】
従って、バッテリーの交換回数の頻度も多くなる、という欠点を有している。
【０００６】
このようなことから、該電子機器の電源としては、比較的大きな電流の安定した供給ができるものが望ましい。
【発明の開示】
【発明が解決しようとする課題】
【０００７】
しかしながら、腕時計式アラーム電子機器で腕時計サイズを実現するには、容積の制限をうけるため、搭載できる振動モーターは携帯電話のものより小型になるため、発生する振動が弱くなる結果となった。
【０００８】
以上に述べたように、従来の振動式アラーム腕時計等では十分な振動幅を得るには限界がある。
【課題を解決するための手段】
【０００９】
上記課題を解決する為、本発明は振動発生器を搭載する腕時計式アラーム電子機器に対し以下のような手段をとる。
【００１０】
請求項１に記載の発明は、振動発生器５１、５２の筐体２１ａ、２１ｂを電子機器本体と切り離すことにより、該振動発生器の筐体２１ａ、２１ｂの重量を軽くする事ができ、その結果、大きな振動幅が得られ、効率的であると同時に、電子機器本体２の容積を他に有効利用できる。
【００１１】
請求項２に記載の発明は、振動発生器５１、５２で発生する振動の減衰をできるだけ抑えるため、該振動発生器を収納している筐体２１ａ、２１ｂの重量を軽くし、重量が比較的重い該電子機器本体２を分離する為のつなぎ１１ａ、１１ｂを設けている事を特徴とする。
【００１２】
請求項３に記載の発明は、振動発生器５１、５２で発生する振動の減衰をできるだけ抑えるため、該振動発生器５１、５２の筐体２１ａ、２１ｂをリストバンド４１ａ、４１ｂから分離する為のつなぎ３１ａ、３１ｂを設けている事を特徴とする。
【００１３】
請求項４に記載の発明は、振動発生器５１，５２の駆動に要する電流は比較的大きい為、容量の大きなバッテリーを必要とするので、電源は、容易に着脱できる充電式バッテリー５とする事を特徴とするものである。
【００１４】
又、該充電式バッテリー５の着脱を容易にする為、該電子機器本体２の底部に収納し、裏蓋８を設けビス９ａ、９ｂ、９ｃ及び９ｄにて固定するものとする。
【００１５】
請求項５に記載の発明は、該電子機器本体２の筐体に充電用ジャック１０を設けることにより充電用バッテリー５への接続は同筐体２内部で行えるので安定性がある。
【００１６】
請求項６に記載の発明は、振動発生器５１、５２の駆動を使用者が１個又は２個の切り替えの選択をすることで、振動を効率的に感知することが可能となり、目覚まし機能を使用した場合、就寝中、起床を促すのに適度な振動を得るための選択ができる。
【発明を実施するための最良の形態】
【００１７】
以下に本発明の実施の形態の一例を図面に基づいて説明する。
【００１８】
図１は本発明の第一実施例を示す腕時計式アラーム電子機器１である。腕時計式アラーム電子機器１は主に、液晶表示部４、キースイッチ操作部３及び内装部７からなる電子機器本体２、その電子機器本体２の両端につなぎＡの１１ａ、１１ｂを介して振動モーター５１、５２の筐体２１ａ、２１ｂが配置されている。
【００１９】
つなぎＡの１１ａ、１１ｂは空洞部分を有し、該電子機器本体２と振動モーター５１、５２間の配線は、該つなぎＡの１１ａ、１１ｂを介して接続される。
【００２０】
さらに、その振動発生モーターの筐体２１ａ、２１ｂにつなぎＢの３１ａ、３１ｂを介してリストバンド４１ａ、４１ｂが配置されているという構成のものである。
【００２１】
内装部７には時刻やデーターの表示部及びデーターの演算や入出力を行う電子部品、及びそれら内蔵品を固定するための基盤が含まれ、さらに、電源として、充電式バッテリー５が該電子機器本体２の底部に配置され、裏蓋８を四本のビス９ａ、９ｂ、９ｃ及び９ｄで固定している。
【００２２】
以上のように構成された腕時計式アラーム電子機器１は図２に示すように、電子機器本体２の筐体に充電式バッテリー５の充電用ジャック１０が取り付けられている。また、付属品として充電用アダプター６１を備え、随時プラグ６２を介して充電できるものとする。該プラグ６２及びジャック１０の形状は他のものであっても構わない。
【００２３】
図３に示すように、１個の小型モーターに２個の偏重心の分銅を取り付けた振動モーター５１、５２を該電子機器本体２の両側に取り付けたものである。
【００２４】
又、その２個の分銅はモーターシャフトに対して同方向に固定されているが、その２個の分銅間に１８０度の角度をもたせた対称点に固定したものでも構わない。
【００２５】
図４及び図５に示すように、振動発生モーター５１，５２により発生する振動は、腕の尺骨、撓骨及びくるぶしに振動を伝えるものである。
【００２６】
本発明は以上のように、設定時刻を感知する方法が振動のため、他人に知られずに振動が直接身体で感知され、使用者本人だけが設定した時刻に達したことを報知するものであり、ビジネスマン、時間単位で活躍している者にとって、約束時間に遅れる事、約束を忘れる事、等を防止できる。
【図面の簡単な説明】
【００２７】
【図１】充電式バッテリーの取り付け配置を示した腕時計式アラーム電子機器の斜視図
【図２】充電用ジャックを取り付けた側を示した腕時計式アラーム電子機器の斜視図
【図３】腕時計式アラーム電子機器を上方向から視た図
【図４】腕時計式アラーム電子機器を横方向から視た図
【図５】腕時計式アラーム電子機器を装着したと仮定した場合の横方向から視た図
【符号の説明】
【００２８】
１  腕時計式アラーム電子機器
２  電子機器本体
３  キースイッチ操作部
４  表示部
５  充電式バッテリー
６  コネクター
７  内装部
８  裏蓋
９ａ、９ｂ，９ｃ，９ｄ  ビス
１０  充電用ジャック
１１ａ，１１ｂ  つなぎＡ
２１ａ、２１ｂ  振動モーターの筐体
３１ａ、３１ｂ  つなぎＢ
４１ａ、４１ｂ  リストバンド
５１，５２  振動モーター
６１  充電用アダプター
６２  充電用プラグ
【図１】
0004258664.tif 000002
【図２】
0004258664.tif 000003
【図３】
0004258664.tif 000004
【図４】
0004258664.tif 000005
【図５】
0004258664.tif 000006